(57)【要約】      （修正有）【課題】吸水性、汚れ落ち性、乾燥性にすぐれ、かつソフトでボリューム感、弾力性に優れたふきんを提供する。【解決手段】アンダーラップを行って縦方向に延びる所要巾の鎖編目列１と、該鎖編目列１の各アンダーラップ部に、隣接するウエール間で折り返しジグザグ状に挿入された第１挿入糸２と、上記挿入糸２の折り返し部を１コースずらして２ウエール間にわたりジグザグ状に挿入されて縦方向に延びる第２挿入糸３と、前記第１の挿入糸２と同じコースで２ウエール間で折り返しジグザグ状に挿入されて縦方向に延びる横挿入糸４を順次重ねて編成し、鎖編目糸および第１挿入糸２と横挿入糸４には綿とレーヨンの混紡糸を、一方、第２挿入糸３にはポリエステルウーリー加工糸を用いてなる３素材使用の編地によりふきんを作成した。【選択図】図１
0003151280.tif 000002
【実用新案登録請求の範囲】
【請求項１】
アンダーラップを行って縦方向に延びる所要巾の鎖編目列と、該鎖編目列の各アンダーラップ部に、隣接するウエール間で折り返しジグザグ状に挿入されて縦方向に延びる第１挿入糸と、上記挿入糸の折り返し部を１コースずらして２ウエール間で折り返し、ジグザグ状に挿入されて縦方向に延びる第２挿入糸と、上記第１挿入糸と同じコースで２ウエール間で折り返しジグザグ状に挿入されて縦方向に延びる横挿入糸を順次重ねて編成すると共に、鎖編目糸及び第１挿入糸と横挿入糸には綿とレーヨンとの混紡糸を、一方、第２挿入糸にはポリエステルウーリー加工糸を用いてなる３素材使用による編地を所要形状に裁断し、形成してなることを特徴とするふきん。
【考案の詳細な説明】
【技術分野】
【０００１】
本考案は吸水性，汚れ落ち性，乾燥性にすぐれ、かつソフトでボリューム感，弾力性にすぐれたふきんに関するものである。
【背景技術】
【０００２】
従来、ふきんには通常、吸水性にすぐれた綿，レーヨン等の１枚ものでは十分な吸水能を得ることができないため、太径のレーヨン紡績糸を縦糸とし、細径のレーヨン紡績糸を横糸として織り上げた織物を複数枚重ねて使用したり（例えば特許文献１参照）、複数重ねて縫合するにあたり、表面，裏面に綿素材を用い、内側にレーヨン素材を使用する（例えば特許文献２参照）ものが提案されている。
【０００３】
また一方、拭き取り対象物に汚れや水痕が残らず、かつ乾燥した状態でも濡らした状態でも使用可能なふきんとして上表層，下表層，中間層を備え、上表層と下表層はナイロン繊維とポリエステル繊維とを混合した素材、中間層は粗い単繊維を微細化した縦横の繊維を上下互いに交差させた十文字構造に編織した布で構成したふきんも提案されている。（例えば特許文献３参照）
【先行技術文献】
【特許文献】
【０００４】
【特許文献１】特開昭５９−１５２８４０号公報
【特許文献２】実用新案登録第３０４２５２７号公報
【特許文献３】実用新案登録第３１２１５８０号公報
【考案の概要】
【考案が解決しようとする課題】
【０００５】
しかし、上記従来のふきんは綿，レーヨンあるいはナイロン，ポリエステル等の素材を１種又は２種使用するだけで、ふきんとして求められる吸水性，汚れ落ち性は兎も角として、乾燥性，ボリューム，強度等において稍、不足であり、総合性能が不十分であった。
【０００６】
本考案は上述の如き実状に対処し、綿，レーヨン，ポリエステルの３素材を有効に取り入れ、これら素材の編地内における配置を見出すことにより吸水性，汚れ落ち性はもちろん、乾燥性，ソフト性，ボリューム，弾力性，強度を高め、これらの相乗効果によりふきんとしての総合性能を向上せしめることを目的とするものである。
【課題を解決するための手段】
【０００７】
即ち、上記目的に適合する本考案はアンダーラップを行って縦方向に延びる所要巾の鎖編目列と、該鎖編目列の各アンダーラップ部に夫々、隣接するウエール間で折り返しジグザグ状に挿入されて縦方向に延びる第１挿入糸と、上記挿入糸の折り返し部を１コースずらして２ウエール間にわたりジグザグ状に挿入されて縦方向に延びる第２挿入糸と、前記第１挿入糸と同じコースで２ウエール間で折り返しジグザグ状に挿入されて縦方向に延びる横挿入糸を重ねて編成すると共に、鎖編目糸および第１挿入糸と横挿入糸には綿とレーヨンの混紡糸を用い、第２挿入糸にはポリエステルウーリー加工糸を用いた経編地により形成してなるふきんの構成にある。
【考案の効果】
【０００８】
本考案は上述の如く綿，レーヨン，ポリエステルウーリー加工糸の３素材を使用し、アンダーラップを行って縦方向に延びる所要数の鎖編目列に対し１または２ウエール間にわたり折り返しジグザグ状に第１，第２の挿入糸ならびに横挿入糸を重ねて挿入したものであり、鎖編目糸及び第１挿入糸，横挿入糸を形成する綿，レーヨン混紡糸中の綿繊維により吸水性を、またレーヨンにより汚水が残留せず、すすぎ性もよくて汚れ落ち性を良好ならしめると共に、第１挿入糸，横挿入糸の間にあって、表面に出ることがないポリエステルウーリー加工糸により乾燥性，ソフト性，ボリューム，弾力性ならびに強度のアップをはかって全体として吸水性，汚れ落ち性，乾燥性にすぐれ、かつソフトでボリューム感，弾力性を有するふきんを提供することができる効果を有している。
【図面の簡単な説明】
【０００９】
【図１】本考案ふきんの１例を示す外観斜視概要図である。
【図２】本考案ふきんの編組織ま１例を示す図である。
【図３】本考案ふきんの編組織における鎖編目糸の編組織の１例を示す図である。
【図４】本考案ふきんの編組織における第１挿入糸の編組織を示す図である。
【図５】本考案ふきんの編組織における第２挿入糸の編組織を示す図である。
【図６】本考案ふきんの編組織における横挿入糸の編組織を示す図である。
【考案を実施するための形態】
【００１０】
以下、更に添付図面を参照し、本考案の詳細を説明する。図１は本考案に係るふきんの１例を示す外観図で、編地よりなる本体Ａの周縁をかがり止めＢによって止着することによってふきんとし構成されている。図２は同ふきんの本体Ａ編地の編組織の１例を示しており、図３〜図６に示す如くアンダーラップａを行って縦方向に並列して延びる鎖編目列１と、該鎖編目列１の各アンダーラップ部ａに挿入されて隣接ウエール間で折り返し、縦方向に並列してジグザグ状に延びる第１挿入糸２と、該第１挿入糸２の折り返し部を１コースずらして２ウエール間で同じく折り返し挿入されて、縦方向に並列してしジグザグ状に延びる第２挿入糸３と、前記第１の挿入糸１と同じコースにおいて２ウエール間で折り返し挿入されて縦方向にジグザグ状に並列して延びる横挿入糸４が配設されて、これら各挿入糸２，３，４が前記鎖編目列１の各アンダーラップ部ａに順次重なって挿入されることによって本考案ふきんを構成する経編地が形成されている。なお、この経編地の形成には、通常、ラッセル編機の使用が効率的である。
【００１１】
アンダーラップ部ａを形成する鎖編目列１は、図においては開き目でアンダーラップ部ａを有しているが、開き目でなく閉じ目の鎖編目列であっても差し支えない。しかし、アンダーラップ部ａを有する鎖編目列１であること、そして、第１，第２の挿入糸２，３と共に横挿入糸４をコースをずらしてアンダーラップ部ａでＵ字状又はＶ字状に折り返してジグザグ状に縦方向に連続して挿入し、重合することは後述する、使用する糸素材と相俟って本考案の重要な特徴とするところである。
【００１２】
本考案ふきんにおいて使用する糸素材としては鎖編目列１を形成する糸ならびに該鎖編目列１で内側に挿入される第１挿入糸２および最外側で第１挿入糸２と同じコースでウエール巾を延ばして折り曲げ挿入される横挿入糸４には綿とレーヨンの混紡による混紡糸が使用され、中間に位置する第２挿入糸３にはポリエステルウーリー加工糸が使用される。従って中間に位置する第２挿入糸３は編地にボリューム感，弾力性を与えるが通常、第１挿入糸２と、横挿入糸３間にあって直接編地の表面には出ていない。なお、綿とレーヨンの混紡にあたっては通常綿３０〜７０、レーヨン７０〜３０の割合が適切であり、ラッセル編機による編地の作成にあたっては１２ゲージ，９ゲージ，６ゲージが好適である。そして、ふきんの作成は上記編組織による編地を作成した後、該編地を所要の大きさに裁断し、周縁にかがり止めＢを施してふきんとして形成する。
【００１３】
かくして上記３種の繊維素材の利用により本考案ふきんは夫々の繊維の特性の相乗効果によって吸水性，汚れ落ち性，乾燥性，ボリューム感，弾力性などの各効果が得られる。
【符号の説明】
【００１４】
１：鎖編目列
２：第１挿入糸
３：第２挿入糸
４：横挿入糸
ａ：アンダーラップ部
【図１】
0003151280.tif 000003
【図２】
0003151280.tif 000004
【図３】
0003151280.tif 000005
【図４】
0003151280.tif 000006
【図５】
0003151280.tif 000007
【図６】
0003151280.tif 000008